(57)【特許請求の範囲】
【請求項１】
操作部のプッシュ操作を検出する第１検出部と、
前記操作部のタップ操作を検出する第２検出部と、
前記第１検出部がプッシュ操作を検出した場合と前記第２検出部がタップ操作を検出した場合とで互いに異なる負荷制御を行う負荷制御部と、
前記操作部に加わる加速度を検出する第３検出部とを備え、
前記操作部において、前記第１検出部がプッシュ操作を検出する領域と、前記第２検出部がタップ操作を検出する領域とが少なくとも一部重なっており、
前記第２検出部が前記操作部の操作を検出すると、前記負荷制御部は、前記第３検出部の検出結果をもとに、前記第２検出部によって検出された操作がタップ操作かプッシュ操作かを弁別する負荷コントローラ。
【請求項２】
操作部のプッシュ操作を検出する第１検出部と、
前記操作部のタップ操作を検出する第２検出部と、
前記第１検出部がプッシュ操作を検出した場合と前記第２検出部がタップ操作を検出した場合とで互いに異なる負荷制御を行う負荷制御部とを備え、
前記操作部は回転自在に支持されており、
前記第１検出部は、プッシュ操作に応じて回転した前記操作部に押されることによって駆動されるスイッチからなり、
前記第２検出部は、前記操作部においてプッシュ操作される部位とは異なる部位であって、前記操作部において回転中心となる部位でタップ操作を検出する負荷コントローラ。
【請求項３】
前記負荷制御部の負荷は調光制御可能な照明器具であり、
前記第１検出部がプッシュ操作を検出すると、前記負荷制御部は前記負荷の点灯、消灯を切り替え、
前記第２検出部がタップ操作を検出すると、前記負荷制御部は前記負荷を所定の調光レベルで点灯させる請求項１又は２に記載の負荷コントローラ。
【請求項４】
前記第２検出部が所定時間以上の長押し操作を検出すると、前記負荷制御部は前記負荷の調光レベルをスイープさせ、長押し操作が終わった時点での調光レベルで前記負荷を点灯させる請求項３記載の負荷コントローラ。
【発明の詳細な説明】
【技術分野】
【０００１】
本発明は、負荷コントローラに関するものである。
【背景技術】
【０００２】
従来、調光制御が可能な照明負荷の点灯／消灯を切り替える切替スイッチと、照明負荷の調光レベルを制御する調光器とが一連の取付枠に並設されたものがあった（例えば特許文献１参照）。このものでは、切替スイッチを用いて点灯／消灯の切り替え操作を行い、調光器を用いて調光レベルの切り替え操作を行っていた。
【先行技術文献】
【特許文献】
【０００３】
【特許文献１】特開２００９−３０１８１１号公報
【発明の概要】
【発明が解決しようとする課題】
【０００４】
上記の特許文献１に記載された調光器及び切替スイッチでは、照明負荷の点灯／消灯を切り替えるために操作される操作部と、調光レベルを切り替えるために操作される操作部とが別々の場所に設けられていた。すなわち、別々の負荷制御を行うための操作部が、別々の場所に設けられているため、操作部の数が多くなり、負荷を制御するための装置が全体として大型化するという問題があった。
【０００５】
本発明は上記課題に鑑みて為されたものであり、その目的とするところは、操作部の数を減らして小型化を図った負荷コントローラを提供することにある。
【課題を解決するための手段】
【０００６】
本発明の一態様の負荷コントローラは、操作部のプッシュ操作を検出する第１検出部と、前記操作部のタップ操作を検出する第２検出部と、前記第１検出部がプッシュ操作を検出した場合と前記第２検出部がタップ操作を検出した場合とで互いに異なる負荷制御を行う負荷制御部と、前記操作部に加わる加速度を検出する第３検出部とを備え、前記操作部において、前記第１検出部がプッシュ操作を検出する領域と、前記第２検出部がタップ操作を検出する領域とが少なくとも一部重なっており、前記第２検出部が前記操作部の操作を検出すると、前記負荷制御部は、前記第３検出部の検出結果をもとに、前記第２検出部によって検出された操作がタップ操作かプッシュ操作かを弁別する。尚、タップ操作とは、操作部を指で軽くたたく操作を意味し、プッシュ操作とは、操作部を所定のストローク以上押し込む操作を意味する。
【０００８】
本発明の一態様の負荷コントローラは、操作部のプッシュ操作を検出する第１検出部と、前記操作部のタップ操作を検出する第２検出部と、前記第１検出部がプッシュ操作を検出した場合と前記第２検出部がタップ操作を検出した場合とで互いに異なる負荷制御を行う負荷制御部とを備え、前記操作部は回転自在に支持されており、前記第１検出部は、プッシュ操作に応じて回転した前記操作部に押されることによって駆動されるスイッチからなり、前記第２検出部は、前記操作部においてプッシュ操作される部位とは異なる部位であって、前記操作部において回転中心となる部位でタップ操作を検出する。
【０００９】
この負荷コントローラにおいて、前記負荷制御部の負荷は調光制御可能な照明器具である。そして、前記第１検出部がプッシュ操作を検出すると、前記負荷制御部は前記負荷の点灯、消灯を切り替え、前記第２検出部がタップ操作を検出すると、前記負荷制御部は前記負荷を所定の調光レベルで点灯させることも好ましい。
【００１０】
この負荷コントローラにおいて、前記第２検出部が所定時間以上の長押し操作を検出すると、前記負荷制御部は前記負荷の調光レベルをスイープさせ、長押し操作が終わった時点での調光レベルで前記負荷を点灯させることも好ましい。
【発明の効果】
【００１１】
本発明によれば、操作部をプッシュ操作するか或いはタップ操作するかで、負荷制御部が互いに異なる負荷制御を行っているので、異なる負荷制御を行わせるための操作部が別々に設けられた場合に比べ、操作部の数を削減でき、負荷コントローラを小型化できる。
【図面の簡単な説明】
【００１２】
【図１】実施形態１の負荷コントローラの分解斜視図である。
【図２】同上の分解斜視図である。
【図３】同上の正面図である。
【図４】同上の断面図である。
【図５】同上のブロック図である。
【図６】同上の動作シーケンス図である。
【図７】（ａ）は実施形態２の負荷コントローラが備えるタッチ基板の正面図、（ｂ）は一部省略した側断面図である。
【図８】同上の正面図である。
【図９】同上のブロック図である。
【図１０】同上の動作シーケンス図である。
【図１１】（ａ）は実施形態３の負荷コントローラが備えるタッチ基板の正面図、（ｂ）は一部省略した側断面図である。
【図１２】同上の正面図である。
【図１３】同上の動作シーケンス図である。
【発明を実施するための形態】
【００１３】
以下に、本発明に係る負荷コントローラを、調光制御が可能な照明器具の制御に適用した実施形態について図面を参照して説明する。
【００１４】
（実施形態１）
実施形態１の負荷コントローラ１について図１〜図６を参照して説明する。尚、以下の説明では特に断りがないかぎり、図３に示す向きにおいて上下左右の方向を規定し、図４中の上側を前側、図４中の下側を後側として説明を行う。
【００１５】
図５は実施形態１の負荷コントローラ１のブロック図である。負荷コントローラ１は、調光制御が可能なＬＥＤ照明器具１００の動作を制御するために用いられる。負荷コントローラ１は、信号処理部１０と、タクトスイッチ１１と、タッチセンサ１２と、加速度センサ１３と、出力回路１４と、発光ダイオード（ＬＥＤ）１５と、圧電ブザー１６と、ドライブ回路１７，１８と、電源回路１９とを備えている。
【００１６】
タクトスイッチ１１は、図１及び図４に示されるように、操作部２０の裏側に配置される矩形のメイン基板２２（例えばプリント配線板からなる）の略中央に実装されている。操作者が操作部２０をプッシュ操作すると、操作部２０の裏面でタクトスイッチ１１の押釦１１ａが押され、内蔵する接点のオン／オフが切り替わる。その後、操作者によって操作部２０が押されなくなると、押釦１１ａがバネ力を受けて元の位置に戻ることによって、操作部２０は初期位置に復帰する。ここにおいて、プッシュ操作とは操作部２０を所定のストローク以上押し込む操作を意味し、タクトスイッチ１１により第１検出部が構成される。
【００１７】
タッチセンサ１２は静電容量型のセンサで構成されている。本実施形態では、図１に示すように複数個（例えば６個）のタッチセンサ１２がタッチ基板２１の表面に実装されている。タッチ基板２１は、縦横の長さが略同じ矩形板状の合成樹脂成形品からなり、操作部２０の裏側に操作部２０の表面と平行するように配置される。タッチ基板２１の表面の上側部及び下側部には、それぞれ、３個のタッチセンサ１２が左右方向に並べて取り付けられている。操作部２０は合成樹脂で形成されているので、タップ操作を行うために操作部２０に指で触れると、指が触れた部位の裏側にあるタッチセンサ１２の静電容量値が変化する。ここにおいて、タップ操作とは操作部２０を指で軽くたたく操作を意味し、タッチセンサ１２により第２検出部が構成される。
【００１８】
加速度センサ１３はタッチ基板２１に実装されており、少なくとも前後方向（すなわち図１（ｂ）の上下方向）において、操作部２０に加わる加速度を検出する。ここにおいて、加速度センサ１３により第３検出部が構成される。尚、タッチ基板２１に実装されたタッチセンサ１２及び加速度センサ１３の検出信号は、後述のメイン基板２２に実装された回路に、図示しないハーネスを介して入力されている。
【００１９】
信号処理部１０は負荷コントローラ１の全体的な制御を行っており、タクトスイッチ１１、タッチセンサ１２及び加速度センサ１３からの入力をもとに操作部２０のタップ操作或いはプッシュ操作を検出すると、タップ操作又はプッシュ操作に応じて互いに異なる負荷制御を行う。
【００２０】
出力回路１４は、信号処理部１０からの制御命令に応じて出力信号Ｓ１の電圧レベルを変化させる。出力回路１４の出力信号Ｓ１はＬＥＤ照明器具１００に入力され、ＬＥＤ照明器具１００は、出力信号Ｓ１の電圧レベルに応じて光源である発光ダイオード（図示せず）の調光レベルを制御する。
【００２１】
発光ダイオード１５は例えばＲＧＢフルカラー発光の発光ダイオードからなり、複数個（例えば５個）の発光ダイオード１５がメイン基板２２に実装されている。５個の発光ダイオード１５は、タクトスイッチ１１の左右両側に、略一定の間隔を開けて配置されており、上下２列に配置されたタッチセンサ１２の略中間に位置している。尚、図４に示すように、メイン基板２２には、各々の発光ダイオード１５の回りを囲む遮光壁２３が設けられている。各々の発光ダイオード１５の発光は、それぞれ前方に設けられた貫通孔２１ａに入射されるようになっており、遮光壁２３は、発光ダイオード１５の光が対応する貫通孔２１ａ以外の貫通孔２１ａに入射しないように、光漏れを低減している。
【００２２】
ドライブ回路１７は、信号処理部１０からの入力信号に応じて各発光ダイオード１５の点灯／消灯を制御するとともに、フルカラーＬＥＤからなる発光ダイオード１５の発光色を制御する。
【００２３】
またドライブ回路１８は、信号処理部１０からの入力信号に応じて圧電ブザー１６を鳴動させる。
【００２４】
電源回路１９はＡＣ／ＤＣ変換部１９ａと定電圧部１９ｂとで構成される。ＡＣ／ＤＣ変換部１９ａは、商用交流電源から供給される交流電力を直流に変換する。定電圧部１９ｂは例えばＬＤＯ（Low DropOut）レギュレータからなり、ＡＣ／ＤＣ変換部１９ａの出力電圧を所定電圧に降圧して信号処理部１０に供給する。
【００２５】
次に、負荷コントローラ１の機械的な構成を図１〜図３に基づいて説明する。図１及び図２は負荷コントローラ１の分解斜視図、図３は負荷コントローラ１の正面図をそれぞれ示している。本実施形態では２つの負荷コントローラ１がプレート部材３０に取り付けられている。プレート部材３０は合成樹脂成形品からなり、縦長の矩形板状に形成された主部３０ａと、主部３０ａの周部のやや内側から後方に突出する側部３０ｂとを一体に備えている。主部３０ａの前面中央には、主部３０ａを前後方向に貫通する矩形状の開口部３０ｃが上下に２つ並べて設けられている。
【００２６】
主部３０ａの裏側には２枚のメイン基板２２が例えばネジ止めなどの方法で固定されている。各メイン基板２２は、それぞれ上側又は下側の開口部３０ｃに臨む位置に取り付けられている。メイン基板２２には、図５に示す回路のうちタッチセンサ１２及び加速度センサ１３を除いた回路が実装されている。メイン基板２２の略中央にはタクトスイッチ１１が実装され、タクトスイッチ１１の左右両側には５個の発光ダイオード１５が一定の間隔で一列に実装されている。
【００２７】
主部３０ａの前面には、それぞれ開口部３０ｃの前側に配置されるようにして２つの操作部２０が上下に並べて取り付けられている。
【００２８】
操作部２０は透光性を有する合成樹脂により形成され、平面視の形状が正方形状であって前面が操作面となる主部２０ａと、主部２０ａの周縁部から後方に突出する側壁２０ｂとを一体に備えている。操作部２０には、左側の側壁２０ｂの後部から、左側に向かって突出する矩形板状の取付片２０ｃが設けられている。プレート部材３０の前面には、各開口部３０ｃの左側に、上下方向に延びる溝３０ｄが形成されており、溝３０ｄの前側に取付片２０ｃを重ね、ねじなどを用いて取付片２０ｃを溝３０ｄに固定することによって、操作部２０がプレート部材３０に片持ち支持される。また主部２０ａの裏面には、メイン基板２２に実装されたタクトスイッチ１１の押釦１１ａと対向する部位に、後方に突出する突起２０ｄが設けられている。また操作部２０には、右側の側壁２０ｂの後部から、右側に突出する抜け止め用の突起２０ｅが一体に設けられている。そして、図４に示すように、突起２０ｅが、後述するプレート枠３１の孔３１ａの周縁部に当接することによって、操作部２０の前面がプレート枠３１の前面よりも前方に突出しないように、操作部２０の前方への移動が規制されている。
【００２９】
主部２０ａと側壁２０ｂとで囲まれる領域にはタッチ基板２１が取り付けられている。タッチ基板２１は、図１及び図２に示すように矩形板状に形成され、タッチ基板２１の上側部及び下側部にはそれぞれタッチセンサ１２が３個ずつ実装されている。タッチ基板２１には、メイン基板２２に実装された発光ダイオード１５に対応する部位に、発光ダイオード１５の発光を前方に通過させるための貫通孔２１ａがそれぞれ形成されている。各発光ダイオード１５の発光は貫通孔２１ａを通って前方に照射され、透光性材料で形成された操作部２０を透過して、主部２０ａの前面から外部に照射される。また、タッチ基板２１には、操作部２０の突起２０ｄに対向する部位に、突起２０ｄを挿通させる長孔状の貫通孔２１ｂが形成されている。主部２０ａの裏側にタッチ基板２１が取り付けられた状態では、突起２０ｄが貫通孔２１ｂから後方へと突出しており、操作部２０がプッシュ操作されると、突起２０ｄの突出部分によってタクトスイッチ１１の押釦１１ａが押操作される。
【００３０】
また、プレート部材３０の前側には四角枠状のプレート枠３１が取り付けられる。プレート枠３１は、例えば裏面に設けられた爪（図示せず）をプレート部材３０の溝（図示せず）に引っ掛けることによって、プレート部材３０の前面に取り付けられる。プレート枠３１の中央には縦長の孔３１ａが開口しており、プレート部材３０に取り付けられた各操作部２０の主部２０ａが孔３１ａから前方に露出する。
【００３１】
各部の構成は以上の通りであり、プレート部材３０の裏側には、開口部３０ｃから前面を露出させるようにしてメイン基板２２がネジ止めなどの方法で取り付けられる。プレート部材３０の前側には、取付片２０ｃを溝３０ｄに固定することによって、操作部２０が片持ち支持されている。操作部２０の主部２０ａは開口部３０ｃを覆うように配置されており、主部２０ａの裏側に取り付けられたタッチ基板２１がメイン基板２２の前側に配置される。そして、組立状態においては、図４に示すように、主部２０ａの裏面に設けられた突起２０ｄがタクトスイッチ１１の押釦１１ａに対向している。操作部２０は取付片２０ｃを介してプレート部材３０に片持ち支持されているので、主部２０ａがプッシュ操作されると、主部２０ａが取付片２０ｃを支点に回転し、突起２０ｄによって押釦１１ａが押操作されることになる。その後、主部２０ａが押されなくなると、タクトスイッチ１１が備えるバネの復帰力で押釦１１ａが初期位置に復帰するので、押釦１１ａに突起２０ｄが押されることによって、操作部２０が初期位置に復帰することになる。また、タッチ基板２１の貫通孔２１ａは、メイン基板２２に実装された発光ダイオード１５の前方に位置し、発光ダイオード１５の発光は貫通孔２１ａを通して主部２０ａに入射し、主部２０ａを透過して、主部２０ａの前面から外部に照射される。
【００３２】
ここで、信号処理部１０は、タップ操作が行われた場合とプッシュ操作が行われた場合とで異なる負荷制御を行うのであるが、タップ操作とプッシュ操作の判別は以下のような方法で行っている。
【００３３】
操作者によって主部２０ａのプッシュ操作が行われると、操作部２０が所定のストローク以上押し込まれるので、主部２０ａの裏側にある突起２０ｄでタクトスイッチ１１の押釦１１ａが押されることによって、タクトスイッチ１１が例えばオンに切り替わる。その後、操作部２０が押されなくなると、タクトスイッチ１１の押釦１１ａは内蔵するバネの復帰力を受けて初期位置に戻り、タクトスイッチ１１は例えばオフに切り替わる。このように、主部２０ａが押し込まれている間だけタクトスイッチ１１がオンに切り替わるので、信号処理部１０は、タクトスイッチ１１のオン／オフ状態をもとに、プッシュ操作が行われたか否かを検出できる。
【００３４】
また、操作者が操作部２０のタップ操作を行うと、操作部２０の裏側に配置されたタッチセンサ１２の静電容量値が変化する。信号処理部１０には、複数個のタッチセンサ１２がそれぞれ接続されており、各々のタッチセンサ１２の静電容量と所定の基準値との高低を比較することによって、各々のタッチセンサ１２に対応する主部２０ａの部位に指（人体）が触れているか否かを判断することができる。
【００３５】
ここで、主部２０ａにおいてタップ操作される領域とプッシュ操作される領域とが重なっているので、操作部２０がプッシュ操作される場合も操作部２０の表面に操作者の指が触れることで、タッチセンサ１２の静電容量値が変化する。したがって、タッチセンサ１２の出力だけではタップ操作とプッシュ操作を弁別できないため、本実施形態では、信号処理部１０が、タッチセンサ１２の出力及び加速度センサ１３の出力をもとに、タップ操作とプッシュ操作を弁別して検出している。
【００３６】
すなわち、操作部２０がタップ操作された場合は、プッシュ操作された場合に比べて加速度センサ１３で検出される加速度のピーク値が低く、また加速度が検出される時間も短くなる。信号処理部１０には、タップ操作とプッシュ操作を弁別するために用いられる加速度の閾値が予め設定されており、何れかのタッチセンサ１２の静電容量値が所定の基準値を超えた場合、加速度センサ１３によって検出された加速度を所定の閾値と比較する。ここで、検出された加速度が閾値以上であれば、信号処理部１０はプッシュ操作と判断して、タップ操作の場合の負荷制御は行わず、タクトスイッチ１１のオン／オフが切り替わった時点でプッシュ操作に応じた負荷制御を行う。一方、検出された加速度が閾値未満であれば、所定の判定時間（操作部２０を押し込むのに必要な時間より短い所定の時間）が経過した時点で、信号処理部１０はタップ操作が行われたと判断し、タップ操作に応じた負荷制御を行う。なお、タップ操作の場合は操作部２０が所定のストローク以上押し込まれないので、タクトスイッチ１１がオンに切り替わることはない。
【００３７】
ここにおいて、タクトスイッチ１１により、操作部２０のプッシュ操作を検出する第１検出部が構成され、タッチセンサ１２により、操作部２０のタップ操作を検出する第２検出部が構成される。また、本実施形態ではプレート部材３０に２組の負荷コントローラ１が取り付けられており、操作部２０とタッチ基板２１とメイン基板２２とで１組分の負荷コントローラ１が構成されている。
【００３８】
次に、本実施形態の動作について説明する。信号処理部１０が、上述のようにしてタップ操作或いはプッシュ操作を検出すると、タップ操作又はプッシュ操作に応じた負荷制御を行っており、その動作シーケンスを図６に示す。
【００３９】
図６の動作シーケンスでは、操作部２０のプッシュ操作が検出されると、信号処理部１０は、ＬＥＤ照明器具１００の動作状態を全点灯状態と消灯状態とに交互に切り替える。また、操作部２０のタップ操作が検出されると、信号処理部１０は、ＬＥＤ照明器具１００の動作状態を、所定の調光レベルで点灯する調光状態と消灯状態とに交互に切り替える。
【００４０】
先ず、ＬＥＤ照明器具１００が消灯している状態（図６のＳＴ１）では、信号処理部１０は、ドライブ回路１７を制御して、各発光ダイオード１５を緑色で点灯させて、位置表示を行う。
【００４１】
また、ＬＥＤ照明器具１００が所定の調光レベル（例えば全点灯状態を１００％の調光レベルとした場合に１５％の調光レベル）で点灯している状態（図６のＳＴ２）では、信号処理部１０は、ドライブ回路１７を制御して、各発光ダイオード１５を電球色で点灯させて、調光点灯状態で点灯中であることを報知する。
【００４２】
ＬＥＤ照明器具１００が消灯或いは調光点灯している状態で操作者がプッシュ操作を行うと（図６のＰ１，Ｐ２）、信号処理部１０は、タクトスイッチ１１とタッチセンサ１２と加速度センサ１３の入力信号をもとにプッシュ操作を検出する。信号処理部１０は、プッシュ操作Ｐ１，Ｐ２を検出すると出力回路１４からＬＥＤ照明器具１００に全点灯信号を出力させ、ＬＥＤ照明器具１００を全点灯状態で点灯させる。また信号処理部１０は、ドライブ回路１８を制御して圧電ブザー１６から報知音（例えば「ピ、ピ」という音）を鳴動させるとともに、ドライブ回路１７を制御して各発光ダイオード１５を赤色で点灯させて、全点灯状態に切り替わったことを報知する。
【００４３】
ＬＥＤ照明器具１００が全点灯している状態（図６のＳＴ３）で操作者がプッシュ操作を行うと（図６のＰ３）、信号処理部１０は、タクトスイッチ１１とタッチセンサ１２と加速度センサ１３の入力信号をもとにプッシュ操作を検出する。信号処理部１０は、プッシュ操作Ｐ３を検出すると、出力回路１４からＬＥＤ照明器具１００に消灯信号を出力させて、ＬＥＤ照明器具１００を消灯させる。また信号処理部１０は、ドライブ回路１８を制御して圧電ブザー１６から報知音（例えば「ピー」という音）を鳴動させて、消灯状態に切り替わったことを報知する。また信号処理部１０は、ドライブ回路１７を制御して各発光ダイオード１５を緑色で点灯させて、消灯状態に切り替わったことを報知するとともに、位置表示を行う。
【００４４】
ＬＥＤ照明器具１００が消灯或いは全点灯している状態で操作者がタップ操作を行うと（図６のＰ４，Ｐ５）、信号処理部１０は、タッチセンサ１２及び加速度センサ１３の入力をもとにタップ操作を検出する。信号処理部１０は、タップ操作Ｐ４，Ｐ５を検出すると出力回路１４からＬＥＤ照明器具１００に調光信号を出力させ、ＬＥＤ照明器具１００を所定の調光レベル（例えば１５％の調光レベル）で調光点灯させる。また信号処理部１０は、ドライブ回路１８を制御して圧電ブザー１６から報知音（例えば「ピ」という音）を鳴動させるとともに、ドライブ回路１７を制御して各発光ダイオード１５を電球色で点灯させて、調光点灯状態に切り替わったことを報知する。
【００４５】
また、ＬＥＤ照明器具１００が調光点灯している状態（図６のＳＴ２）で操作者がタップ操作を行うと（図６のＰ６）、信号処理部１０は、タッチセンサ１２及び加速度センサ１３の入力をもとにタップ操作を検出する。信号処理部１０は、タップ操作Ｐ６を検出すると、出力回路１４からＬＥＤ照明器具１００に消灯信号を出力させて、ＬＥＤ照明器具１００を消灯させる。また信号処理部１０は、ドライブ回路１８を制御して圧電ブザー１６から報知音（例えば「ピー」という音）を鳴動させて、消灯状態に切り替わったことを報知する。また信号処理部１０は、ドライブ回路１７を制御して各発光ダイオード１５を緑色で点灯させて、消灯状態に切り替わったことを報知するとともに、位置表示を行う。
【００４６】
以上のように、本実施形態の負荷コントローラ１は、第１検出部（タクトスイッチ１１からなる）と、第２検出部（タッチセンサ１２からなる）と、負荷制御部（信号処理部１０からなる）とを備えている。第１検出部は、操作者による操作部２０のプッシュ操作を検出する。第２検出部は、操作者による操作部２０のタップ操作を検出する。負荷制御部は、第１検出部がプッシュ操作を検出した場合と第２検出部がタップ操作を検出した場合とで互いに異なる負荷制御を行っている。
【００４７】
これにより、同じ操作部２０をタップ操作するか、プッシュ操作するかによって、異なる負荷制御が実現できるので、異なる負荷制御を行わせるための操作部が別々に設けられた場合に比べて、操作部２０の数を削減できる。よって、負荷コントローラ１の小型化を実現でき、意匠性を向上させることができる。尚、本実施形態では同じ負荷を異なる制御状態に制御することで、異なる負荷制御を行っているが、タップ操作或いはフリック操作によって別々の負荷の負荷制御を行ってもよい。
【００４８】
また、本実施形態では操作部２０において、第１検出部（タクトスイッチ１１）がプッシュ操作を検出する領域と、第２検出部（タッチセンサ１２）がタップ操作を検出する領域とが少なくとも一部重なっている。そこで、操作部２０に加わる加速度センサを検出する加速度センサ１３を第３検出部として備え、負荷制御部（信号処理部１０）は、第２検出部が操作部２０の操作を検出すると、第３検出部の検出結果をもとに、第２検出部によって検出された操作がタップ操作かプッシュ操作かを弁別している。
【００４９】
これによって、プッシュ操作を行うために操作部２０に触れたことを、タップ操作と誤検出されにくくなる。
【００５０】
（実施形態２）
実施形態２の負荷コントローラ１について図７〜図１０を参照して説明する。尚、実施形態１と共通する構成要素には同一の符号を付して、その説明は省略する。
【００５１】
実施形態１では、操作部２０においてプッシュ操作される領域とタップ操作される領域とが重なっているので、プッシュ操作とタップ操作を弁別するために加速度センサ１３が必要であった。本実施形態では、操作部２０においてプッシュ操作される領域とタップ操作される領域を別々の領域としており、加速度センサ１３が不要になっている。
【００５２】
また、実施形態１では操作部２０の一端側が片持ち支持され、操作部２０の他端側がプッシュ操作されるようになっているので、タクトスイッチ１１が１つだけ設けられていた。それに対して、本実施形態では操作部２０が左右方向の中間部で回転自在に支持されており、操作部２０の右側部及び左側部をそれぞれプッシュ操作することができるから、右側部でのプッシュ操作、左側部でのプッシュ操作をそれぞれ検出するためにタクトスイッチ１１が２つ設けられている。
【００５３】
図９は本実施形態のブロック図であり、加速度センサ１３が設けられておらず、タクトスイッチ１１が２個接続されていることを除いては、実施形態１で説明した回路と同様であるので、共通する構成要素には同一の符号を付して、その説明は省略する。
【００５４】
次に負荷コントローラ１の機械的な構成を図７及び図８に基づいて説明する。
【００５５】
操作部２０は透光性を有する合成樹脂により形成され、平面視の形状が正方形状であって前面が操作面となる主部２０ａと、主部２０ａの周縁部から後方に突出する側壁２０ｂとを一体に備えている。操作部２０は左右方向における中間部を軸として回転自在にプレート部材３０に取り付けられている。
【００５６】
メイン基板２２は、主部２０ａの裏側に、中立位置にある主部２０ａの前面と平行するようにしてプレート部材３０に取り付けられている。メイン基板２２の中央位置にはＲＧＢフルカラーの発光ダイオード１５が１個実装されている。また、メイン基板２２には、左右方向における両端位置にそれぞれタクトスイッチ１１，１１が実装されている。主部２０ａの裏側には、各タクトスイッチ１１の押釦１１ａにそれぞれ対向する部位に突起２４が設けられており、この突起２０ｄはタッチ基板２１の貫通孔（図示せず）に挿入され、タッチ基板２１の後面から後方に突出している。
【００５７】
タッチ基板２１は、図７（ａ）（ｂ）に示すように、合成樹脂により矩形板状に形成されており、左右方向における中間部に複数個（例えば４個）のタッチセンサ１２が上下に並べて実装されている。すなわち、タッチセンサ１２は、主部２０ａにおいてプッシュ操作される領域（右端部及び左端部）を除いた領域、すなわち主部２０ａの回転中心となる左右方向の中央部に実装されている。またタッチ基板２１には、メイン基板２２に実装された発光ダイオード１５に対向する部位に貫通孔２１ａが設けられている。発光ダイオード１５の発光は貫通孔２１ａを通して主部２０ａに入射し、透光性の主部２０ａを透過して、主部２０ａの前面から前方へと照射される。
【００５８】
本実施形態では、操作部２０の主部２０ａにおいて左端部又は右端部がプッシュ操作されると、操作部２０は、押された側が後側に移動するように回転する。操作部２０の回転に応じて、押された側にある突起２４によってタクトスイッチ１１の押釦１１ａが押され、タクトスイッチ１１が例えばオフからオンに切り替わる。信号処理部１０は、タクトスイッチ１１からの入力をもとに、操作部２０の左端部及び右端部の何れかがプッシュ操作されたことを検出する。その後、操作者によって操作部２０が押されなくなると、タクトスイッチ１１はオフになる。またタクトスイッチ１１が内蔵するバネの復帰力を受け、押釦１１ａが元の位置に戻ることによって、操作部２０が初期位置に復帰する。
【００５９】
また、操作部２０の主部２０ａにおいて左右方向の中央部がタップ操作されると、主部２０ａにおいてタップ操作される領域の裏側にあるタッチセンサ１２の静電容量値が、人体（例えば操作者の指など）の接近によって変化する。したがって、信号処理部１０では、タッチセンサ１２からの入力と所定の基準値との高低を比較することによって、各々のタッチセンサ１２で指（人体）を検出しているか否か、すなわちタップ操作が行われたか否かを判断する。
【００６０】
以上のように信号処理部１０は、タクトスイッチ１１の入力からプッシュ操作が行われたか否かを検出し、タッチセンサ１２の入力からタップ操作が行われたか否かを検出している。
【００６１】
次に、本実施形態の動作について説明する。信号処理部１０が、上述のようにしてタップ操作或いはプッシュ操作を検出すると、タップ操作又はプッシュ操作に応じた負荷制御を行っており、その動作シーケンスを図１０に示す。
【００６２】
図１０の動作シーケンスでは、操作部２０の右側部を押すプッシュ操作が検出されると、信号処理部１０はＬＥＤ照明器具１００を全点灯させ、操作部２０の左側部を押すプッシュ操作が検出されると、信号処理部１０はＬＥＤ照明器具１００を消灯させる。また、操作部２０のタップ操作が検出されると、信号処理部１０は、ＬＥＤ照明器具１００を所定の調光レベル（例えば１５％の調光レベル）で調光点灯させている。
【００６３】
先ず、ＬＥＤ照明器具１００が消灯している状態（図１０のＳＴ１）では、信号処理部１０は、ドライブ回路１７を制御して、発光ダイオード１５を緑色で点灯させて、位置表示を行う。
【００６４】
また、ＬＥＤ照明器具１００が所定の調光レベルで調光点灯している状態（図１０のＳＴ２）では、信号処理部１０は、ドライブ回路１７を制御して、発光ダイオード１５を電球色で点灯させて、調光点灯状態で点灯中であることを報知する。
【００６５】
ＬＥＤ照明器具１００が消灯或いは調光点灯している状態で操作者が操作部２０の右側部をプッシュ操作すると（図１０のＰ１１，Ｐ１２）、信号処理部１０は、右側に配置されたタクトスイッチ１１の入力信号をもとに、右側部が押されるプッシュ操作を検出する。信号処理部１０は、右側部が押されるプッシュ操作Ｐ１１，Ｐ１２を検出すると出力回路１４からＬＥＤ照明器具１００に全点灯信号を出力させ、ＬＥＤ照明器具１００を全点灯状態で点灯させる。また信号処理部１０は、ドライブ回路１８を制御して圧電ブザー１６から報知音（例えば「ピ、ピ」という音）を鳴動させるとともに、ドライブ回路１７を制御して発光ダイオード１５を赤色で点灯させて、全点灯状態に切り替わったことを報知する。
【００６６】
ＬＥＤ照明器具１００が調光点灯又は全点灯している状態（図１０のＳＴ２，ＳＴ３）で操作者が操作部２０の左側部をプッシュ操作すると、信号処理部１０は、左側に配置されたタクトスイッチ１１の入力信号をもとに、左側部が押されるプッシュ操作を検出する。信号処理部１０は、左側部が押されるプッシュ操作Ｐ１３，Ｐ１４を検出すると出力回路１４からＬＥＤ照明器具１００に消灯信号を出力させ、ＬＥＤ照明器具１００を消灯させる。また信号処理部１０は、ドライブ回路１８を制御して圧電ブザー１６から報知音（例えば「ピー」という音）を鳴動させて、消灯状態に切り替わったことを報知させる。また信号処理部１０は、ドライブ回路１７を制御して発光ダイオード１５を緑色で点灯させて、消灯状態に切り替わったことを報知するとともに、位置表示を行う。
【００６７】
またＬＥＤ照明器具１００が消灯或いは全点灯している状態（図１０のＳＴ１，ＳＴ３）で操作者がタップ操作を行うと、信号処理部１０は、タッチセンサ１２の入力をもとにタップ操作を検出する。信号処理部１０は、タップ操作Ｐ１５，Ｐ１６を検出すると出力回路１４からＬＥＤ照明器具１００に調光信号を出力させ、ＬＥＤ照明器具１００を所定の調光レベル（例えば１５％の調光レベル）で調光点灯させる。また信号処理部１０は、ドライブ回路１８を制御して圧電ブザー１６から報知音（例えば「ピ」という音）を鳴動させるとともに、ドライブ回路１７を制御して発光ダイオード１５を電球色で点灯させて、調光点灯状態に切り替わったことを報知する。
【００６８】
以上のように、本実施形態の負荷コントローラ１は、第１検出部（タクトスイッチ１１からなる）と、第２検出部（タッチセンサ１２からなる）と、負荷制御部（信号処理部１０からなる）とを備えている。第１検出部は、操作者による操作部２０のプッシュ操作を検出する。第２検出部は、操作者による操作部２０のタップ操作を検出する。負荷制御部は、第１検出部がプッシュ操作を検出した場合と第２検出部がタップ操作を検出した場合とで互いに異なる負荷制御を行っている。
【００６９】
これにより、同じ操作部２０をタップ操作するか、プッシュ操作するかによって、異なる負荷制御が実現できるので、異なる負荷制御を行わせるための操作部が別々に設けられた場合に比べて、操作部２０の数を削減できる。よって、負荷コントローラ１の小型化を実現でき、意匠性を向上させることができる。尚、本実施形態では同じ負荷を異なる制御状態に制御することで、異なる負荷制御を行っているが、タップ操作或いはフリック操作によって別々の負荷の負荷制御を行ってもよい。
【００７０】
また本実施形態では、操作部２０が回転自在に支持されており、第１検出部は、プッシュ操作に応じて回転した操作部２０に押されることによって駆動されるタクトスイッチ１１で構成されている。また第２検出部（タッチセンサ１２からなる）は、操作部２０において回転自在に支持された部位でのタップ操作を検出している。
【００７１】
このように、操作部２０において、プッシュ操作を検出する領域とタップ操作を検出する領域が別々の領域となっているから、プッシュ操作とタップ操作を弁別するための加速度センサ１３などが不要になり、プッシュ操作とタップ操作の誤検出が起こりにくくなる。
【００７２】
（実施形態３）
実施形態３の負荷コントローラ１について図１１〜図１３を参照して説明する。尚、実施形態１，２と共通する構成要素には同一の符号を付して、その説明は省略する。
【００７３】
実施形態２では、操作部２０が左右方向の中間部で回転自在に支持されているのに対して、本実施形態では、操作部２０が左右方向の片側（例えば左側部）を中心として回転自在に支持されている。
【００７４】
すなわち、主部２０ａにおいて左右方向の反対側（例えば右側部）が押操作されることで、主部２０ａが回転するようになっており、図１１（ｂ）に示すように、メイン基板２２には、主部２０ａの右側部と対向する位置にタクトスイッチ１１が１個実装されている。尚、主部２０ａの裏面には、タクトスイッチ１１に対向する位置に、タクトスイッチ１１の押釦１１ａを押すための突起２４が設けられている。
【００７５】
またタッチ基板２１の表面には、左右方向の片側（すなわち操作部２０が回転自在に支持されている左側部）にタッチセンサ１２が実装されている。タッチセンサ１２はタッチ基板２１の上側及び下側に１個ずつ実装されており、タッチ基板２１において２つのタッチセンサ１２の中間部には貫通孔２１ａが形成されている。そして、メイン基板２２には、貫通孔２１ａに対向する位置にＲＧＢフルカラーの発光ダイオード１５が実装されている。また主部２０ａには、タッチセンサ１２の取付位置に対向する位置に貫通孔（図示せず）が設けられ、この貫通孔を塞ぐように矩形板状のカバー２５が取り付けられている。カバー２５は、主部２０ａの前面よりも前側に少し突き出ているので、タッチ操作を検出可能な領域が容易に判別できるようになっている。またカバー２５は透光性材料により形成されているので、発光ダイオード１５の発光がタッチ基板２１の貫通孔２１ａとカバー２５とを通して前方に照射されるようになっている。
【００７６】
本実施形態では、主部２０ａにおいて右側部がプッシュ操作されると、操作部２０は、左側部に設けられた軸部（図示せず）を中心として、押された側が後側に移動するように回転する。そして、操作部２０の回転に応じて、主部２０ａの裏側にある突起２４によってタクトスイッチ１１の押釦１１ａが押され、タクトスイッチ１１が例えばオフからオンに切り替わる。この時、信号処理部１０は、タクトスイッチ１１からの入力をもとに、操作部２０がプッシュ操作されたことを検出する。その後、操作者によって操作部２０が押されなくなると、タクトスイッチ１１はオフになる。またタクトスイッチ１１が内蔵するバネの復帰力を受け、押釦１１ａが元の位置に戻ることによって、操作部２０が初期位置に復帰する。
【００７７】
また、主部２０ａにおいてカバー２５の表面がタップ操作されると、カバー２５の裏側にあるタッチセンサ１２の静電容量値が、人体（例えば操作者の指など）の接近によって変化する。したがって、信号処理部１０では、タッチセンサ１２からの入力と所定の基準値との高低を比較することによって、各々のタッチセンサ１２で指（人体）を検出しているか否か、すなわちタップ操作が行われたか否かを判断することができる。
【００７８】
以上のように信号処理部１０は、タクトスイッチ１１の入力からプッシュ操作が行われたか否かを検出し、タッチセンサ１２の入力からタップ操作が行われたか否かを検出している。
【００７９】
次に、本実施形態の動作について説明する。信号処理部１０が、上述のようにしてタップ操作或いはプッシュ操作を検出すると、タップ操作又はプッシュ操作に応じた負荷制御を行っており、その動作シーケンスを図１３に示す。
【００８０】
図１３の動作シーケンスでは、プッシュ操作が検出されると、信号処理部１０はＬＥＤ照明器具１００の点灯、消灯を切り替え、タップ操作が検出されると、信号処理部１０はＬＥＤ照明器具１００を所定の調光レベルで調光点灯させている。
【００８１】
先ず、ＬＥＤ照明器具１００が消灯している状態（図１３のＳＴ１）では、信号処理部１０は、ドライブ回路１７を制御して、発光ダイオード１５を緑色で点灯させて、位置表示を行う。
【００８２】
また、ＬＥＤ照明器具１００が所定の調光レベルで調光点灯している状態（図１３のＳＴ２）では、信号処理部１０は、ドライブ回路１７を制御して、発光ダイオード１５を電球色で点灯させて、調光点灯状態で点灯中であることを報知する。
【００８３】
ＬＥＤ照明器具１００が消灯している状態で操作者が操作部２０のプッシュ操作を行うと（図１３のＰ２１）、信号処理部１０は、タクトスイッチ１１の入力信号をもとに、プッシュ操作が行われたことを検出する。信号処理部１０は、プッシュ操作Ｐ２１を検出すると出力回路１４からＬＥＤ照明器具１００に全点灯信号を出力させ、ＬＥＤ照明器具１００を全点灯状態で点灯させる。また信号処理部１０は、ドライブ回路１８を制御して圧電ブザー１６から報知音（例えば「ピ、ピ」という音）を鳴動させるとともに、ドライブ回路１７を制御して発光ダイオード１５を赤色で点灯させて、全点灯状態に切り替わったことを報知する。
【００８４】
ＬＥＤ照明器具１００が調光点灯又は全点灯している状態（図１３のＳＴ２，ＳＴ３）で操作者が操作部２０のプッシュ操作を行うと、信号処理部１０は、タクトスイッチ１１の入力信号をもとに、プッシュ操作が行われたことを検出する。信号処理部１０は、プッシュ操作Ｐ２４，Ｐ２５を検出すると出力回路１４からＬＥＤ照明器具１００に消灯信号を出力させ、ＬＥＤ照明器具１００を消灯させる。また信号処理部１０は、ドライブ回路１８を制御して圧電ブザー１６から報知音（例えば「ピー」という音）を鳴動させて、消灯状態に切り替わったことを報知させる。また信号処理部１０は、ドライブ回路１７を制御して発光ダイオード１５を緑色で点灯させて、消灯状態に切り替わったことを報知するとともに、位置表示を行う。
【００８５】
またＬＥＤ照明器具１００が消灯或いは全点灯している状態（図１３のＳＴ１，ＳＴ３）で操作者がタップ操作を行うと、信号処理部１０は、タッチセンサ１２の入力をもとにタップ操作を検出する。信号処理部１０は、タップ操作Ｐ２２，Ｐ２３を検出すると出力回路１４からＬＥＤ照明器具１００に調光信号を出力させ、ＬＥＤ照明器具１００を所定の調光レベル（例えば１５％の調光レベル）で調光点灯させる。また信号処理部１０は、ドライブ回路１８を制御して圧電ブザー１６から報知音（例えば「ピ」という音）を鳴動させるとともに、ドライブ回路１７を制御して発光ダイオード１５を電球色で点灯させて、調光点灯状態に切り替わったことを報知する。
【００８６】
以上のように、本実施形態の負荷コントローラ１は、第１検出部（タクトスイッチ１１からなる）と、第２検出部（タッチセンサ１２からなる）と、負荷制御部（信号処理部１０からなる）とを備えている。第１検出部は、操作者による操作部２０のプッシュ操作を検出する。第２検出部は、操作者による操作部２０のタップ操作を検出する。負荷制御部は、第１検出部がプッシュ操作を検出した場合と第２検出部がタップ操作を検出した場合とで互いに異なる負荷制御を行っている。
【００８７】
これにより、同じ操作部２０をタップ操作するか、プッシュ操作するかによって、異なる負荷制御が実現できるので、異なる負荷制御を行わせるための操作部が別々に設けられた場合に比べて、操作部２０の数を削減でき、負荷コントローラ１の小型化を実現できる。尚、本実施形態では同じ負荷を異なる制御状態に制御することで、異なる負荷制御を行っているが、タップ操作或いはフリック操作によって別々の負荷の負荷制御を行ってもよい。
【００８８】
また本実施形態では、操作部２０が回転自在に支持されており、第１検出部は、プッシュ操作に応じて回転した操作部２０に押されることによって駆動されるタクトスイッチ１１で構成されている。また第２検出部（タッチセンサ１２からなる）は、操作部２０において回転自在に支持された部位でのタップ操作を検出している。
【００８９】
これにより、操作部２０において、プッシュ操作を検出する領域とタップ操作を検出する領域が別々の領域とされているから、プッシュ操作とタップ操作を弁別するための加速度センサ１３などが不要になり、プッシュ操作とタップ操作の誤検出が起こりにくくなる。
【００９０】
また本実施形態では、負荷制御部の負荷が調光制御可能な照明器具（例えばＬＥＤ照明器具１００）であり、第１検出部がプッシュ操作を検出すると、負荷制御部（信号処理部１０）が負荷の点灯、消灯を切り替えている。また第２検出部がタップ操作を検出すると、負荷制御部が負荷を所定の調光レベルで点灯させている。
【００９１】
これにより、プッシュ操作によって負荷の点灯、消灯が切り替えられ、タップ操作によって所定の調光レベルで点灯させられるから、所望の制御状態に切り替えるために、プッシュ操作及びタップ操作の何れの操作を行えばよいかが判りやすいという利点がある。
【００９２】
また本実施形態において、第２検出部が所定時間以上の長押し操作を検出した場合、すなわちタッチセンサ１２の静電容量値が所定の基準値以上となる状態が所定時間以上継続した場合、信号処理部１０は、出力回路１４を制御してＬＥＤ照明器具１００の調光レベルをスイープさせてもよい。そして、長押しが終わり、タッチセンサ１２の静電容量値が基準値未満となった時点で、信号処理部１０は、その時の調光レベルを維持するように出力回路１４からの出力信号を制御する。その結果、ＬＥＤ照明器具１００の調光レベルが、操作部２０の長押しを終了した時点での調光レベルに制御されるから、ＬＥＤ照明器具１００を所望の調光レベルで点灯させることができる。
【００９３】
尚、上述した実施形態１，２において、第２検出部が所定時間以上の長押し操作を検出した場合に、信号処理部１０が、出力回路１４を制御してＬＥＤ照明器具１００の調光レベルをスイープさせ、長押しが終わり、タッチセンサ１２の静電容量値が基準値未満となった時点で、信号処理部１０が、その時の調光レベルを維持するように出力回路１４からの出力信号を制御するようにしてもよい。
【００９４】
また、実施形態１〜３で説明した負荷制御の形態は一例であり、上記の制御内容に限定されるものではなく、制御対象の機器や使用環境に合わせて適宜変更が可能である。
【００９５】
また、上記の各実施形態では、本発明を照明器具の動作状態を制御するコントローラに適用した実施形態について説明したが、照明器具以外の負荷（例えば換気扇などの設備機器）を制御するものでもよい。また、負荷にワイヤレス信号を送信して制御するリモートコントローラでもよい。
【符号の説明】
【００９６】
１  負荷コントローラ
１０  信号処理部（負荷制御部）
１１  タクトスイッチ（第１検出部）
１１ａ  押釦
１２  タッチセンサ（第２検出部）
２０  操作部
２０ｃ  取付片
２１  タッチ基板
２２  メイン基板
３０  プレート部材
１００  ＬＥＤ照明器具（負荷）
【図１】
0005971583.tif 000002
【図２】
0005971583.tif 000003
【図３】
0005971583.tif 000004
【図４】
0005971583.tif 000005
【図５】
0005971583.tif 000006
【図６】
0005971583.tif 000007
【図７】
0005971583.tif 000008
【図８】
0005971583.tif 000009
【図９】
0005971583.tif 000010
【図１０】
0005971583.tif 000011
【図１１】
0005971583.tif 000012
【図１２】
0005971583.tif 000013
【図１３】
0005971583.tif 000014